(57)【要約】【課題】ＩＳＦタイプの牽引補助体を備えて皮膚接触時の不快感を解消するとともに牽引の長さを拡張してユーザ個人の特性に合わせることができ、バッテリを備えて移動時に携帯して使用することができ、外部電源が印加されない状態ではバッテリを物理的及び電気的に分離して待機電力によるバッテリの放電を最小化し、牽引体は、膨張及び収縮が自動モードで駆動されて頸椎矯正の最適の効果を得て不注意による事故を予防できる、牽引補助体を有する首牽引装置を提供する。【解決手段】ユーザの首を囲む本体と、前記本体の上部に連結され、ユーザの首を囲み、膨張して首を牽引する牽引体と、本体に内蔵される振動ユニットと、前記本体に内蔵される空気注入ユニットと、前記牽引体の上部に載せられ首を囲み、前方が開口され、前方から後方に行くほど高さと幅とが漸増する牽引補助体とを含んでなる、牽引補助体を有する首牽引装置。【選択図】図１ａ
2019520186.tif 000002
【特許請求の範囲】
【請求項１】
前方側が開口され、ユーザの首を囲む本体と、
前記本体の上部に連結され、前方側が開口され、ユーザの首を囲み、膨張して首を牽引する牽引体と、
前記本体に内蔵されて振動させる振動ユニットと、
前記本体に内蔵され、前記牽引体に空気を注入して膨張させる空気注入ユニットと、
前記牽引体の上部に載せられ首を囲み、前方が開口され、前方から後方に行くほど高さと幅とが漸増する牽引補助体とを含んでなる、牽引補助体を有する首牽引装置。
【請求項２】
前記牽引補助体の下部には、前記牽引体の上部側の内側に安着して配置される安着部が形成され、前記安着部の下部面は、膨張する牽引体の上部側の内側に誘導されるように傾斜したことを特徴とする、請求項１に記載の牽引補助体を有する首牽引装置。
【請求項３】
前記本体は、発泡成形される支持体と、前記支持体を覆う外被とを含み、
前記支持体の左右両側には、各々前記振動ユニットが内蔵される第１装着部が形成され、後方側には、前記空気注入ユニットが内蔵される第２装着部が形成されていることを特徴とする、請求項１に記載の牽引補助体を有する首牽引装置。
【請求項４】
駆動のための電源を供給するバッテリと、
前記バッテリの充電のための外部電源との接続または短絡を提供する絶縁回路部と、
前記バッテリの充電及び放電を担当する充電制御部と、
前記充電制御部と前記振動ユニット及び前記空気注入ユニットを制御する中央制御部を含むコントローラとをさらに含むことを特徴とする、請求項１に記載の牽引補助体を有する首牽引装置。
【請求項５】
前記コントローラは、所定時間前記牽引体に空気を注入して首を牽引し、以後所定時間牽引状態を維持し、以後所定時間牽引体の空気を排出させて牽引を解除する過程を所定時間繰り返す自動モードで前記空気注入ユニットを駆動させることを特徴とする、請求項４に記載の牽引補助体を有する首牽引装置。
【発明の詳細な説明】
【技術分野】
【０００１】
本発明は、首を牽引して頸椎を矯正する首牽引器に関する。より詳細には、ＳＦ（Ｉｎｔｅｇｒａｌ  Ｓｋｉｎ  Ｆｏａｍ）タイプの牽引補助体を備えて皮膚接触時の不快感を解消するとともに、牽引の長さを拡張してユーザ個人の特性に合わせることができ、バッテリを備えて移動時に携帯して使用することができ、外部電源が印加されない状態ではバッテリを物理的及び電気的に分離して待機電力によるバッテリの放電を最小化し、牽引体は、膨張及び収縮が自動モードで駆動されて頸椎矯正の最適の効果を得て不注意による事故を予防することができる、牽引補助体を有する首牽引装置に関する。
【背景技術】
【０００２】
一般に、頸椎（首の骨）は、数十個の骨と椎間板（軟骨）で連結されており、体の重力と衝撃とを吸収して緩衝する役割を果たしている。頸椎は、各節の間に髄核を囲んで保護する椎間板とこれを囲んでいる靱帯組織によって囲まれており、簡単に押し出されることはないが、外部衝撃や刺激によって中心を失うと、椎間板が押し潰されることになり、広がった方向にはみ出る。
【０００３】
このように押し出された椎間板は、周囲の神経を刺激して痛みを誘発し、首、肩、腕、指などに異常現象を発生させ、痛みがひどい場合には正常な社会生活ができないほどに深刻な状態に至る。
【０００４】
首の椎間板ヘルニアを治療するための方法として、薬物治療、物理治療、牽引治療、手術治療などが主に用いられている。
首の牽引治療に用いられる牽引器に関する従来技術として韓国登録特許第１０−０４８３１７６号公報（特許文献１）には、パッドと、パッドの上下両側に配置されて膨張するチューブと、チューブに空気を注入する空気ポンプで構成される首牽引器を提案している。このような首牽引器は、空気の注入及び排出によるチューブの膨張及び収縮に応じて首を牽引して弛緩する過程を繰り返すことで、首の頸椎を矯正する。
【０００５】
特許文献１にて提案されている首牽引器は、パッドの両側にチューブが固定されて連結され、チューブの膨張の長さが定められており、ユーザごとに異なる首の長さと、ユーザごとに異なる牽引圧力に対する好みに合わせることができない。また、特許文献１の首牽引器は、ユーザが空気ポンプを用いて牽引用空気を注入する方式であるため使用が不便であり、ユーザが任意で牽引及び弛緩するため、頸椎の矯正効果が劣り、チューブを過度に膨張させることによって、不注意による事故発生の恐れもある。
【先行技術文献】
【特許文献】
【０００６】
【特許文献１】韓国登録特許第１０−０４８３１７６号公報
【発明の概要】
【発明が解決しようとする課題】
【０００７】
本発明は、前記従来技術による首牽引器の問題を解決するために案出されたもので、その目的は、使用有無をユーザが選択する補助牽引体をさらに備えてユーザごとに首の長さが異なっても首の牽引治療が可能であり、ユーザは自分に適する牽引圧力で首が牽引されるようにし、牽引治療の効果及び満足を高めることにある。
【０００８】
本発明の他の目的は、バッテリを介して電源を供給して移動時に携帯して使用することができ、ひいてはコントローラに絶縁回路部を備え、外部電源が印加されなければバッテリを物理的及び電気的に孤立させて待機電力によってバッテリが消耗することを防止し、これによりバッテリの放電を最小化することにある。
【０００９】
本発明の別の目的は、ユーザがいちいちコントローラを介して首の牽引と牽引解除とを操作しなくてもコントローラを自動モードに設定すれば、最適の頸椎矯正効果を得るように牽引と牽引解除とを自動で繰り返し、過度な圧力で牽引されたり長期間作動したりしないようにして不注意による事故を予防することにある。
【課題を解決するための手段】
【００１０】
上記の目的を達成するための本発明による牽引補助体を有する首牽引装置は、
前方側が開口され、ユーザの首を囲む本体と、
前記本体の上部に連結され、前方側が開口され、ユーザの首を囲み、膨張して首を牽引する牽引体と、
前記本体に内蔵されて振動させる振動ユニットと、
前記本体に内蔵されて前記牽引体に空気を注入して膨張させる空気注入ユニットと、
前記牽引体の上部に載せられ首を囲む牽引補助体と、を含むことを特徴とする。
【００１１】
また、駆動のための電源を供給するバッテリと、
前記バッテリの充電のための外部電源との接続または短絡を提供する絶縁回路部と、
前記バッテリの充電及び放電を担当する充電制御部と、
前記充電制御部と前記振動ユニット及び前記空気注入ユニットを制御する中央制御部を含むコントローラとをさらに含むことを特徴とする。
【００１２】
また、前記コントローラは、所定時間（例えば、約２０秒間）前記牽引体に空気を注入して首を牽引し、以後所定時間（例えば、約２０秒間）牽引状態を維持し、以後所定時間（例えば、約１５秒間）牽引体の空気を排出させて牽引を解除する過程を所定時間（例えば、約１５分間）繰り返す自動モードで前記空気注入ユニットを駆動させることを特徴とする。
【発明の効果】
【００１３】
このように構成される本発明による牽引補助体を有する首牽引装置は、ユーザごとの首の長さと好む牽引圧力とに応じて牽引補助体の使用有無を選択するため、牽引治療の効果及び満足度が高く、
バッテリを介した電源供給により携帯性及び使用便宜性を向上させ、さらに絶縁回路部及び充電制御部を備えたコントローラによりバッテリの放電の最小化及び開発コスト節減の効果が優れ、
牽引と解除とが自動モードで駆動されるため、いちいち操作する不便さがなく、頸椎の矯正効果を最大化し、過度に牽引されたり長期間駆動されたりしないようにして、不注意による事故を防止する牽引補助体を有する首牽引装置であり、産業発展に非常に有用な発明である。
【図面の簡単な説明】
【００１４】
【図１ａ】本発明の一実施形態による牽引補助体を有する首牽引装置を示す斜視図である。
【図１ｂ】本発明の一実施形態による牽引補助体を有する首牽引装置を示す斜視図である。
【図２】コントローラの機能構造を示すブロック図である。
【図３ａ】コントローラの回路構造を簡略に示す回路図である。
【図３ｂ】コントローラの回路構造を簡略に示す回路図である。
【図４】外被を除去した本体及び牽引体の分解図である。
【図５】本発明の内部構造図である。
【図６】本体及び牽引体の平面図、背面図及び側面図である。
【図７】牽引補助体の斜視図、平面図及び側面図である。
【図８】牽引体の牽引及び膨張過程を示すフローチャートである。
【図９】牽引体の牽引及び膨張過程を示すフローチャートである。
【発明を実施するための形態】
【００１５】
以下、図面を参照して、本発明による牽引補助体を有する首牽引装置をより詳細に説明する。
【００１６】
本発明は、多様な変更を加えることができ、様々な形態を有することができるので、具現例（態樣、ａｓｐｅｃｔ）（または実施例）を本文にて詳細に説明する。しかし、これは本発明を特定の開示形態に限定しようとするものではなく、本発明は、本発明の思想及び技術範囲に含まれるすべての変更、均等物ないし代替物を含むものとして理解しなければならない。
【００１７】
各図面において同一の参照符号、特に十の桁及び一の桁数、または十の桁、一の桁及びアルファベットが同一の参照符号は、同一または類似の機能を有する部材を示し、特に言及しない場合、図面の各参照符号が指す部材は、このような基準に準ずる部材と把握すればよい。
また、各図面において構成要素は、理解の便宜などを考慮して大きさや厚さを誇張して大きく（または厚く）、小さく（または薄く）表現するか、単純化して表現しているが、これによって本発明の保護範囲が制限されるものと解釈されてはならない。
【００１８】
本明細書において使用する用語は、単に特定の具現例（態様、ａｓｐｅｃｔ）（または実施例）を説明するために使用したものであり、本発明を限定しようとする意図ではない。単数の表現は文脈上明白に異なる意味を有さない限り、複数の表現を含む。本出願において、「含む」または「からなる」などの用語は、明細書上に記載した特徴、数字、段階、動作、構成要素、部分品またはこれらの組み合わせが存在することを指定するためのものであり、一つまたはそれ以上の他の特徴、数字、段階、動作、構成要素、部分品またはこれらの組み合わせなどの存在または付加の可能性を予め排除しないものと理解しなければならない。
【００１９】
他に定義しない限り、技術的用語や科学的用語を含み、ここで使われるすべての用語は、本発明の属する技術分野における通常の知識を有する者によって、一般的に理解されるものと同じ意味を持っている。一般的に使われる辞典に定義されている用語は、関連技術の文脈上有する意味と一致する意味を有するものと解釈しなければならず、本明細書において明らかに定義しない限り、理想的な意味または過度に形式的な意味に解釈されない。
【００２０】
図１ないし図７に示すように、本発明による首牽引装置Ｎは、本体１、牽引体２、振動ユニット３、空気注入ユニット４及びコントローラ５、牽引補助体６及び結束部材７を含んでなる。
【００２１】
前記本体１は、ユーザの首回りを囲む。
前記本体１は、支持体１１と、前記支持体１１の外面を覆う外被１９を含む。
前記本体１は、前方が開口された「Ｕ」字形状を有し、ユーザは、本装置Ｎの使用時、開口された前方側に自分の首を挿入して本体１を着用する。
【００２２】
前記支持体１１は、牽引時に着用者が圧痛を感じないように弾性を有し、その形状を維持できるように発泡成形して製作される。
前記支持体１１は、その内部に振動ユニット３と空気注入ユニット４とを内蔵する。これらを内蔵する作業の便宜性のために前記支持体１１は上部体１１Ａと下部体１１Ｂとで構成される。
前記支持体１１には前記振動ユニット３と空気注入ユニット４とを内蔵するための第１装着部１３と第２装着部１５とが形成される。
【００２３】
前記第１装着部１３は、振動ユニット３が内蔵されて支持体１１の左右両側にそれぞれ形成され、振動ユニット３が左右でバランスよく振動するようにし、前記第２装着部１５は、前記空気注入ユニット４が内蔵されて支持体１１の後方に形成されている。
【００２４】
前記下部体１１Ｂの第２装着部１５には外気の吸気と吸気された空気の排気のための流路ホール１６が形成され、支持体１１を覆う外被には流路ホール１６に相応する位置に吸排気のための通気孔が形成された吸排気板１７が備えられる。
前記下部体１１Ｂの後方下部には着用時ユーザの首の下の部位に接触支持され、本体１が前後方向に揺れないようにする突出部１２が突出形成されている。
【００２５】
このような第１装着部１３及び第２装着部１５に関する一実施形態を図４を参照して説明すると、下部体１１Ｂの第１装着部１３及び第２装着部１５にそれぞれ振動ユニット３と空気注入ユニット４とを内蔵した後、下部体１１Ｂの上部に上部体１１Ａを被せて結合すると、第１装着部１３及び第２装着部１５に、それぞれ、振動ユニット３と空気注入ユニット４とが内蔵される。
【００２６】
前記牽引体２は、ユーザの首回りを囲み、空気の注入及び排出に応じた膨張及び収縮作用によりユーザの首を牽引及び牽引解除する構成であり、図４ないし図６に示すように、本体１の上部に結合され、前方側に開口している。
前記牽引体２は、空気の注入及び排出に応じて膨張または収縮するチューブ２１と、前記チューブ２１の外面を囲む外被（図１、図６を参照）とで構成される。
【００２７】
前記牽引体２も前方側が開口された「Ｕ」字と類似する形状を有し、ユーザは、本装置Ｎの使用時、開口された前方側に自分の首を挿入して牽引体２を着用する。前記牽引体２は、首牽引の効率性のために多層構造からなることが好ましい。図６では牽引体２が二層構造からなる。
前記振動ユニット３は、本体１の第１装着部１３に内蔵されて振動を発生させる構成であり、図２に示すように、振動を発生させる振動発生モータ３１を含んでなる。
【００２８】
前記したように、このような振動ユニット３Ａ，３Ｂは、本体１の左、右にそれぞれに備えられ、具体的な振動ユニット３の構造に対する説明は省略しても本明細書に記載した説明だけで通常の技術者が本発明を実施することができると予想される。このような振動ユニット３を備えることで、本発明は、首の牽引時に振動ユニット３によって発生した振動により首部位の筋肉痛の緩和及びマッサージ効果をさらに提供することができる。
【００２９】
前記空気注入ユニット４は、本体１の第２装着部１５に内蔵され、牽引体２に空気を注入して牽引体２を膨張させ、注入した空気を外部に排気させて収縮させる構成であり、図２、図４、図５などに示すように、外部空気を吸入して牽引体２に吐出する空気ポンプ４１、及び流路を開閉して吸排気が行われるか、吸排気が遮断されるようにする弁４５と、牽引体２のチューブ２１に備えられるコネクタ２７に脱着可能に結合されるノズル４７と、弁４５とノズル４７とを空気ポンプ４１に連結して吸排気作用が行われるようにする吸排気誘導管４３を含んでなる。
【００３０】
本発明の首牽引装置Ｎは、バッテリＢを備えて移動時にも携帯して使用ことができる。
前記コントローラ５は、前記振動ユニット３及び空気注入ユニット４の駆動を制御し、外部電源を用いて前記バッテリＢを充電する。図２及び図３に示すように、前記コントローラ５は、中央制御部５１、絶縁回路部５２及び充電制御部５３を含んでなる。
【００３１】
各部別には、まず、中央制御部５１は、制御信号（制御命令）を送信して本装置Ｎの全体的な制御を担当する構成であり、このために中央処理装置（ＣＰＵ、ＭＣＵ、ＭＩＣＯＭ）を含むことが好ましい。
さらに図２に示すように、中央制御部５１は、本装置Ｎの全体的な動作を制御するメイン制御モジュール５１１と、振動ユニット３及び空気注入ユニット４（空気ポンプ４１、弁４３）の制御のための通信ポートを提供するインターフェースモジュール５１２で構成され得る。
【００３２】
このようなメイン制御モジュール５１１の制御動作は、図２及びその他図面からわかるように、電源のオン／オフ、振動のオン／オフ、空気の注入／排出、バッテリＢの残量表示、動作表示、オート表示、オートモードの実行などを含むことができ、機構的には前記したボタン部材はもちろん、表示用ＬＥＤ、オートモードの実行ボタン、本体連結ケーブル、充電アダプタＡの連結部などを含み得る。
【００３３】
次に、絶縁回路部５２は、バッテリＢの充電のための外部電源との接続または短絡を提供する構成である。ここで、外部電源は、商用電源（２２０Ｖ）に接続したアダプタＡを介して供給され、このような絶縁回路部５２は、外部電源の非印加時にバッテリＢとの物理的及び電気的接続を遮断するリレー回路５２１を含むことが好ましい。
図３からわかるように、リレー回路５２１は、逆流防止用ダイオードと、電源遮断用リレー素子とを含んでなり、前記リレー回路５２１を有する絶縁回路部５２は、外部電源が印加されなければバッテリＢを物理的及び電気的に孤立させて待機電力によってバッテリＢが消耗することを防止し、これによりバッテリＢの放電を最小化する。
【００３４】
次に、充電制御部５３は、バッテリＢの充電及び放電を担当する構成であり、このような充電制御部５３は、中央制御部５１によって直接制御される充電回路５３１及び放電回路５３２を含むことが好ましい。
図３ｂからわかるように、充電回路５３１は、スイッチングトランジスタと、印加電圧安定化のための抵抗及びダイオードと、バイアス構成用抵抗とからなる。また、放電回路５３２は、スイッチング用トランジスタと放電用負荷グループ（相互並列で構成される抵抗）とからなる。
【００３５】
前記充電回路５３１及び放電回路５３２を含む充電制御部５３は、バッテリＢの充電及び放電のための制御を中央制御部５１で直接処理できるようにし、バッテリＢの充電及び放電に関与する別途のＩＣ（集積回路）を省略できるようにし、これにより開発コストを節減することができる。
【００３６】
また、図３ｂからわかるように、充電制御部５３は、定電圧回路をさらに含むことができ、このような定電圧回路を備えることにより、過充電及び過放電を防止して安定性向上及びバッテリＢの放電による性能低下を防止する効果を提供する。
一方、牽引体２の上部皮膚接触面にひげが当たってちくちくし又はユーザの首が長くて牽引体２の膨張の長さが不足する場合などのように、本装置Ｎの使用に不便さを感じる場合が発生する場合がある。
【００３７】
牽引補助体６は、このような不便さを解消するための構成であり、図１及び図７に示すように、本装置Ｎでは、牽引体２の上部に安着される。
このような牽引補助体６は、楽な着心地のためにＩＳＦ（Ｉｎｔｅｇｒａｌ  Ｓｋｉｎ  Ｆｏａｍ）タイプからなることが好ましい。、ＩＳＦは、人体に無害でかつソフトな肌触りとクッション性を提供するだけでなく、優れた耐久性を保証するためユーザは楽な着用感を感じることができる。
【００３８】
また、図７に示すように、牽引補助体６も本体１及び牽引体に２と同様に前方側が開口された「Ｕ」字と類似する形状でユーザの首回りを囲む。
前記牽引補助体６は、一側部６２及び他側部６３が後方部ｈに行くほど幅と高さとが漸増するようにして首の後部分をより安定的に支持するようにする。これによりユーザの首牽引の効果を向上させることはもちろん、ユーザの首の後部分に対する牽引がさらに大きくなるので、現代人の持病である「ストレートネック」症状の緩和に卓越な効果がある。
前記牽引補助体６は、その使用の有無をユーザが選択する構成であり、前記本体１及び牽引体２に結束されない。そのため使用中に牽引補助体６が牽引体２から分離離脱する恐れがあり、分離離脱すると前方が開口された構造によって牽引補助体６の牽引機能が低減または喪失し得る。
【００３９】
使用中に牽引補助体６が牽引体２から分離離脱しないように牽引補助体６の下部には牽引体２の上部側の内部に安着して配置される安着部６１が突出して形成されている。
前記牽引補助体６の安着部６１が前記牽引体２の内側に配置されて安着する構造であるが、牽引体２が膨張及び収縮を繰り返して安着部６１の安着が解除されることがある。牽引補助体６の安着が解除されると、牽引補助体６の開口が開いて牽引効果が低減する。
【００４０】
そのため、前記安着部６１の下部面が傾斜した傾斜面６５構造を有するようにし、牽引体２が収縮する過程で牽引補助体６が牽引体２から分離離脱しても牽引体２が膨張すれば、自然に牽引補助体６の安着部６１が牽引体２の内側に安着するようにすることで、牽引体２の牽引効果を保持させる。
前記結束部材７は、本体１及び牽引体２の開口された前方を結束させてこれらの膨張時に開かないようにする。
【００４１】
このような結束部材７は、好ましくは本体１と牽引体２とに一端は固定され、他端は脱着するベルクロ（登録商標）７０で構成されることができ、結束部材７を備えることにより本発明は安定した着用状態の維持効果を提供する。
【００４２】
以下では前記牽引体２の膨張及び収縮による首の牽引及び牽引解除の過程について説明する。
【００４３】
先ず、図２の参照して説明するが、ユーザの操作のために、前記コントローラ５には作動状態を表示してユーザに知らせる表示用ＬＥＤ６１と、ユーザの操作のためのボタン６３〜６８が備えられている。前記表示用ＬＥＤ６１は、発光する光の色と、光の点灯及び点滅により首牽引装置Ｎの多様な駆動状態を表示する。
【００４４】
例えば、前記表示用ＬＥＤ６１が青、赤、緑の三種類の色で発光する場合に下記のような各種状態を表示する。
電源が供給されてオンになると、ＬＥＤ６１１は、バッテリの用量を３段階で表示し、１段階は赤、２〜３段階は緑で点灯される。振動ユニット３の強度は、ＬＥＤ６１２の１段階から５段階まで段階別に一段階ずつ青ランプが追加点灯される。自動モードで駆動する場合、ＬＥＤ６１３のＡＵＴＯ表示緑ランプが点灯される。
ユーザの操作のためのボタンには電源をオン・オフする電源ボタン６３、振動ユニット３の振動強度を調節するアップダウンボタン６５，６６、空気が牽引体２に注入されるようにする注入ボタン６７、空気が牽引体２に排出されるようにする排出ボタン６８が備えられる。
【００４５】
図８及び図９は、本発明による首牽引装置の動作過程に関するフローチャートであり、これを参照すると本発明による首牽引装置の動作を容易に把握することができる。
コントローラ５の電源ボタン６３を押して電源をつければ（Ｓ１１）、ＬＥＤ６１１がバッテリの用量を表示する（Ｓ１３）。
【００４６】
首の牽引状態で眠ってしまい長期間使用によって、不注意による事故が発生するか、首から外した状態で継続して作動して不要な電力を消耗するなどの問題を予防するために、電源がオンされた後、約１５分が経過すると、電源は自動でオフとなる（Ｓ１４５，Ｓ１５）。空気注入ボタン６７を押すと牽引体２に空気が注入され、空気注入ボタンを再度押すと、空気の供給が中断される。（Ｓ１６〜Ｓ２０）。
【００４７】
また、空気注入ボタン６７を押して空気が注入される状態で空気注入ボタン６７を押さない場合、安全のために約５５秒後に自動で空気供給が停止される。（Ｓ１９）空気を排出して弛緩させるためには空気排出ボタン６８を押し、空気排出を止めるためには空気排出ボタンを再度押す（Ｓ２１〜Ｓ２４）。
【００４８】
自動ボタン６９を押すと、ＬＥＤ６１３のＡＵＴＯ表示緑ランプが点灯されて自動モードが始まる。（Ｓ２５〜Ｓ４６）
自動モードは、空気排出ボタン６８を再度押すと解除される（Ｓ２２，Ｓ２３）。自動モードでは（例えば）２０秒間空気注入、２０秒間牽引維持、１５秒間牽引解除の過程を１５分間繰り返す（Ｓ４５）。このような自動モードの過程がユーザの頸椎矯正に非常に効果的である。
【００４９】
自動モードにおいて上記のような空気注入は、時間設定により駆動できるだけでなく、圧力設定により圧力センサが一定の圧力を感知するまで空気注入が行われるようにすることもできる。
自動モードにおいて牽引状態を維持する間、空気圧が不足するか、過度であると考えられる場合、空気注入または空気排出ボタンを押すと、押す間に空気の注入または排出が行われ、この時調節された空気圧はメモリに記憶されて次の牽引時に適用される（Ｓ４１〜Ｓ４４）。
電源がオンの状態で振動ボタンを押すと、振動１段階で駆動される（Ｓ４８）。アップダウンボタン６５，６６を押すと、振動強度は１段階から５段階まで調節される（Ｓ４８〜Ｓ５５）。
【００５０】
以上、本発明の説明にあたって添付する図面を参照して特定の形状と構造を有する牽引補助体を有する首牽引装置について説明したが、本発明は、当業者によって多様な変形及び変更が可能であり、このような変形及び変更は、本発明の保護範囲に属するものとして解釈しなければならない。
【符号の説明】
【００５１】
Ｎ          本装置（首牽引装置）
１          本体
１１        支持体
１３        第１装着部
１５        第２装着部
２          牽引体
２１        チューブ
３          振動ユニット
４          空気注入ユニット
５          コントローラ
５１        中央制御部
５２        絶縁回路部
５２１      リレー回路
５３        充電制御部
５３１      充電回路
５３２      放電回路
６          牽引補助体
６１        安着部
６２        一側部
６３        他側部
６４        後方部
７          結束部材
Ａ          アダプタ
Ｂ          バッテリ
【図１ａ】
2019520186.tif 000003
【図１ｂ】
2019520186.tif 000004
【図２】
2019520186.tif 000005
【図３ａ】
2019520186.tif 000006
【図３ｂ】
2019520186.tif 000007
【図４】
2019520186.tif 000008
【図５】
2019520186.tif 000009
【図６】
2019520186.tif 000010
【図７】
2019520186.tif 000011
【図８】
2019520186.tif 000012
【図９】
2019520186.tif 000013
【国際調査報告】
2019520186.tif 000014
2019520186.tif 000015
2019520186.tif 000016
2019520186.tif 000017